(57)【要約】【課題】部品点数が削減された接点構造を提供する。【解決手段】被装着物２に対して着脱可能な装着物１に設けられ、前記被装着物との電気的な接続が可能な接点構造１００であって、前記被装着物２の前記接点２４と接触する突状の接点接触部１０５ａ、前記接点接触部１０５ａから前記被装着物と反対側に延びる第１部分１０５ｄ、前記第１部分１０５ｄの端部に設けられた折曲部１０５ｃと、前記折曲部１０５ｃから被装着物２側に延びる第２部分１０５ｂ、及び、前記第２部分１０５ｂの端部に設けられた基板接触部１０５ｅ、を有する接点ピン１０５と、前記接点ピン１０５の前記第１部分１０５ｄを押さえる第１面１１３ａ、及び、前記折曲部１０５ｃを押さえる第２面１１６を有する保持本体１０２と、前記接点ピン１０５の前記基板接触部１０５ｅと接する基板１０３を保持する基板保持部１０４と、を備える。【選択図】図３
2017120308.tif 000002
【特許請求の範囲】
【請求項１】
被装着物に対して着脱可能な装着物に設けられ、前記被装着物との電気的な接続が可能な接点構造であって、
前記被装着物の前記接点と接触する突状の接点接触部、前記接点接触部から前記被装着物と反対側に延びる第１部分、前記第１部分の端部に設けられた折曲部と、前記折曲部から被装着物側に延びる第２部分、及び、前記第２部分の端部に設けられた基板接触部、を有する接点ピンと、
前記接点ピンの前記第１部分を押さえる第１面、及び、前記折曲部を押さえる第２面を有する保持本体と、
前記接点ピンの前記基板接触部と接する基板を保持する基板保持部と、
を備える接点構造。
【請求項２】
請求項１に記載の接点構造であって、
前記保持本体は、
中央に開口を有する開口円板部を備え、
前記第２面は、前記開口円板部における前記被装着物側の面の内縁領域に設けられ、
前記第１面は、前記開口円板部における前記第２面が設けられた部分よりも外周側より前記被装着物側に延びる延在部に設けられ、
前記延在部の前記被装着物側の端部に、前記接点ピンの前記接点接触部の前記被装着物と反対側を保持する凹部が設けられている、
接点構造。
【請求項３】
請求項１または２に記載の接点構造であって、
前記接点ピンの前記接点接触部の前記被装着物側を保持する凹部が設けられた保護環を備える、
接点構造。
【請求項４】
請求項１から３のいずれか１項に記載の接点構造を備える交換レンズ。
【発明の詳細な説明】
【技術分野】
【０００１】
本発明は、接点構造及び交換レンズに関するものである。
【背景技術】
【０００２】
従来より、カメラボディと交換レンズとの機械的な接続部分に、電気的な接続をするためのコネクタを設けることが行われている。
このようなコネクタにおいて、コネクタの接点の接点位置が振動や衝撃によりずれてしまうという課題があるが、これに対して特許文献１記載されているような構成のコネクタが提案されている（特許文献１参照）。
【先行技術文献】
【特許文献】
【０００３】
【特許文献１】特許５６６８１６０号公報
【発明の概要】
【０００４】
本発明の接点構造は、被装着物に対して着脱可能な装着物に設けられ、前記被装着物との電気的な接続が可能な接点構造であって、前記被装着物の前記接点と接触する突状の接点接触部、前記接点接触部から前記被装着物と反対側に延びる第１部分、前記第１部分の端部に設けられた折曲部と、前記折曲部から被装着物側に延びる第２部分、及び、前記第２部分の端部に設けられた基板接触部、を有する接点ピンと、前記接点ピンの前記第１部分を押さえる第１面、及び、前記折曲部を押さえる第２面を有する保持本体と、前記接点ピンの前記基板接触部と接する基板を保持する基板保持部と、を備える構成とした。
また、本発明の交換レンズは、上記接点構造を備える構成とした。
【図面の簡単な説明】
【０００５】
【図１】実施形態の接点構造１００を備える交換レンズ１と、カメラボディ２とを示す概略図である。
【図２】レンズ側マウント部１０の斜視図である。
【図３】レンズ側マウント部１０の分解斜視図である。
【図４】レンズ側マウント部１０の部分断面図である。
【図５】接点ピン１０５の拡大図である。
【図６】比較形態の接点構造１００’の分解斜視図である。
【図７】図４に対応する比較形態の接点構造１００’の断面図である。
【発明を実施するための形態】
【０００６】
以下、図面等を参照して、本発明の実施形態について説明する。
図１は、実施形態の接点構造１００を備える交換レンズ１と、カメラボディ２とを示す概略図である。交換レンズ１は、カメラボディ２に対して着脱可能である。
【０００７】
（カメラボディ２）
カメラボディ２は、交換レンズ１により形成された被写体像を撮像する撮像部（図示せず）を備えたデジタルカメラである。カメラボディ２は、ボディ前面にカメラ側マウント部２０を備える。
カメラ側マウント部２０は、前面の開口部２３の周方向の３か所に設けられたカメラ側バヨネット爪２１と、取外しボタン２２と、開口部２３の内周面に取り付けられた複数の接点２４とを備える。
【０００８】
（交換レンズ１）
交換レンズ１は、鏡筒１１と、撮影レンズ１２と、レンズ側マウント部１０と、を備える。鏡筒１１は、撮影レンズ１２を内部に収容した筒状の筐体である。撮影レンズ１２は、被写体光を屈折して被写体像を形成する光学部材である。
【０００９】
図２は、レンズ側マウント部１０の斜視図である。
レンズ側マウント部１０は、レンズ側バヨネット爪１０１と、接点構造１００とを備える。
【００１０】
（レンズ側バヨネット爪１０１）
レンズ側バヨネット爪１０１は、周方向の３か所に設けられている。
交換レンズ１を、カメラボディ２の前面に接触させ、交換レンズ１をカメラボディ２に対して半時計回りに回転させる。そうすると、カメラ側マウント部２０のカメラ側バヨネット爪２１と、レンズ側バヨネット爪１０１とが係合することにより、交換レンズ１はカメラボディ２に装着される。
また、カメラボディ２の取外しボタン２２を押して交換レンズ１をカメラボディ２に対して時計回りに回転することで、カメラ側バヨネット爪２１と、レンズ側バヨネット爪１０１との係合が解除され、交換レンズ１はカメラボディ２から取り外し可能となる。
【００１１】
（接点構造１００）
図３はレンズ側マウント部１０の分解斜視図である。図４はレンズ側マウント部１０の部分断面図である。
接点構造１００は、保持本体１０２と、ＦＰＣ（フレキシブルプリント回路基板）１０３と、ＦＰＣ保持部１０４と、接点ピン１０５と、レンズ保護環１０６と、を備える。
【００１２】
図５は接点ピン１０５の拡大図である。
接点ピン１０５は、所定幅の薄板状部材の一端に設けられ、カメラボディ２の接点２４と接触する突状の接点接触部１０５ａと、接点接触部１０５ａから光軸方向被写体側に延びる第１部分１０５ｄと、第１部分１０５ｄの端部に設けられた折曲部１０５ｃと、折曲部１０５ｃから光軸方向カメラボディ側に延びる第２部分１０５ｂと、第２部分１０５ｂの端部に設けられたＦＰＣ接触部１０５ｅとを有する。接点ピン１０５は、複数（本実施形態では８個）設けられている。
このような構成により、カメラボディ２の接点２４とレンズ側マウント部１０の接点ピン１０５とが電気的に接続可能であり、さらにはＦＰＣ接触部１０５ｅと接触するＦＰＣ１０３とも電気的に接続可能となっている。
【００１３】
（保持本体１０２）
図３、４、５に戻り、保持本体１０２は、円筒部１１０と、円筒部１１０の光軸方向カメラボディ２側に設けられた開口円板部１１１とを備える。
上述のレンズ側バヨネット爪１０１は、開口円板部１１１に設けられている。
レンズマウント部１０の鏡筒１１への固定は、開口円板部１１１を光軸ＯＡ方向にビス止めすることにより行われ、円筒部１１０の外周面は鏡筒１１の外周面と一体的になり、交換レンズ１の外観の一部となっている。
【００１４】
（延在部１１３）
開口円板部１１１は中央に開口部１２０を備える。また、開口円板部１１１は、開口部１２０の縁部から所定距離離間した位置より、光軸方向カメラボディ側に延在部１１３が延びている。延在部１１３の内周側の面１１３ａ（図４に図示）は、接点ピン１０５の第１部分１０５ｄを保持する。
【００１５】
（第１凹部１１４）
延在部１１３の光軸方向カメラボディ側の端部に、接点ピン１０５と同数（実施形態では８個）の第１凹部１１４が設けられている。第１凹部１１４の輪郭は、接点ピン１０５の接点接触部１０５ａの外周の半分に嵌合するように光軸方向被写体側に窪んだ半円状である。
第１凹部１１４のそれぞれ対して接点ピン１０５の接点接触部１０５ａが嵌め込まれ、接点ピン１０５の接点接触部１０５ａの光軸方向被写体側を保持する。
【００１６】
（側面１１６）
開口部１２０の光軸方向カメラボディ側面における、内縁部と延在部１１３が延びる位置との間には、光軸方向カメラボディ側に延びる側面１１６（図４に図示）が設けられている。
側面１１６は、接点ピン１０５が凹部１０３ａに嵌めこまれた際に、接点ピン１０５の折曲部１０５ｃが当接し、接点ピン１０５の光軸方向被写体側への移動が規制される。
【００１７】
（ＦＰＣ保持部１０４）
ＦＰＣ保持部１０４は、板部材を湾曲したような形状で、外周面にＦＰＣ１０３を保持する部材である。ＦＰＣ保持部１０４は、保持本体１０２に固定ビス１０８で固定されている。
【００１８】
（ＦＰＣ１０３）
ＦＰＣ１０３は、ＦＰＣ保持部１０４の外周面に貼着され、接点ピン１０５のＦＰＣ接触部１０５ｅと接触し、レンズ制御部（図示せず）に接続されている。
【００１９】
（レンズ保護環１０６）
レンズ保護環１０６は実施形態では矩形の開口が設けられた円板部材である。レンズ保護環１０６は、交換レンズ１内の光軸方向カメラボディ側のレンズ（図示せず）を保護する。
レンズ保護環１０６は、３つのレンズ保護環取付ねじ１０９によって、保持本体１０２に固定されている。
【００２０】
（第２凹部）
レンズ保護環１０６には、接点ピン１０５と同数（実施形態では８個）の第２凹部１１７が設けられている。第２凹部１１７の輪郭は、接点ピン１０５の外周の半分に嵌合するように光軸方向カメラボディ側に窪んだ半円状である。
第２凹部１１７のそれぞれは、接点ピン１０５の接点接触部１０５ａの光軸方向カメラボディ側を押さえる。
第２凹部１１７は、第１凹部１１４とで円形の開口を形成し、その円形の開口の間に接点ピン１０５の接点接触部１０５ａを保持する。
【００２１】
（取付方法）
保持本体１０２の開口円板部１１１の延在部１１３の内部に、ＦＰＣ１０３が貼着されたＦＰＣ保持部１０４を固定ビス１０８により固定する。
ＦＰＣ１０３と延在部１１３との間の隙間に接点ピン１０５を挿入する。
そうすると、延在部１１３の第１凹部１１４に接点ピン１０５の接点接触部１０５ａが嵌り、接点ピン１０５の第１部分１０５が延在部１１３の内面１１３ａと当接し、接点ピン１０５の折曲部１０５ｃが開口円板部１１１の側面１１６によって保持される。
光軸方向カメラボディ側より、第２凹部１１７が接点接触部１０５ａの光軸方向カメラボディ側に嵌合するようにレンズ保護環１０６を配置する。そうすると、第１凹部１１４と第２凹部１１７とで形成された孔に接点接触部１０５ａが嵌り、固定される。
【００２２】
交換レンズ１をカメラボディ２に装着する時は、カメラ側マウント部２０のカメラ側バヨネット爪２１の隙間に、レンズ側バヨネット爪１０１を配置するようにして、交換レンズ１をカメラボディ２の前面に配置する。
【００２３】
その後、反時計回りに、交換レンズ１を回転させると、レンズ側バヨネット爪１０１がカメラ側バヨネット爪２１と係合し、交換レンズ１がカメラボディ２に取り付けられる。
これにより、カメラボディ２側の接点２４と、交換レンズ１側の１０５ａが接触することで、カメラボディ２と交換レンズ１とが電気的に接続される。
そして、カメラボディ２と交換レンズ１の間で、カメラボディ２からの駆動信号や、交換レンズ１からの情報の通信が可能になる。
【００２４】
取外しボタン２２を押圧した状態で、装着時と逆に時計回りに交換レンズ１を回転させると、カメラボディ２側の接点２４と交換レンズ１側の接点接触部１０５ａとの電気的接続が解除され、交換レンズ１をカメラボディ２より取り外すことができる。
【００２５】
（比較形態）
図６は比較形態の接点構造１００’の分解斜視図である。
図７は、図４に対応する比較形態の接点構造１００’の断面図である。
比較形態の接点構造１００’は、部組構造２００’を含む構成となっている。
【００２６】
部組構造２００’は、ＦＰＣ１０３’と、ＦＰＣ保持部１０４’と、接点位置決め板２０１’と、接点ピン１０５’と、部組本体２０２’とを備える、
比較形態の接点ピン１０５’は、実施形態と同様であるので、説明を省略する。
保持本体１０２’の開口円板部１１１’は、開口部１２０’の縁部から隙間を開けずに光軸方向カメラボディ側に延びる延在部１１３’が設けられている。このため、実施形態のような、開口円板部１１１における開口部１２０の内縁部と延在部１１３が延びる位置との間に設けられている側面１１６は有していない。
比較形態における側面１１６’は、図７に示すように、別部材の接点位置決め板２０１’に設けられている。
また、開口円板部１１１’の延在部１１３’の内面は、接点ピン１０５’の第１部分１０５ｄ’と直接接しておらず、部組本体の前板部２０２ａ’が介在している。
さらに、接点ピン１０５’の光軸方向カメラボディ側も部組本体２０２の上板部２０２ｂ’によって押さえられている。
【００２７】
比較形態によると、接点ピン１０５’の第１部分１０５ｄ’の外周側に、開口円板部１１１’の延在部１１３’と、部組本体の２００’の部組本体２０２’の前板部２０２ａ’が配置されている。
スペース上の問題より、実施形態と同様の厚みにするには、延在部１１３’の径方向に薄くしなくてはならない。特に樹脂製マウントの場合、延在部１１３’を薄くすると、強度不足になる可能性がある。
【００２８】
また、比較形態の部組構造２００’の構成においては、実施形態と比べて接点位置決め板２０１’、前板部２０２ａ’、上板部２０２ｂ’が余分に必要である。したがって、部品点数が多く、コストダウンが困難である。
【００２９】
しかし、本実施形態によると、以下の効果を有する。
接点構造１００に部組構成を用いず、部品数を減少しため、コストダウンが可能になる。
接点ピン１０５の外周側を、一部材で保持するため、その位置部材である延在部１１３を厚くすることができ、結果的にレンズ側マウント部１０の強度を上げることができる。
延在部１１３の第１凹部１１４に接点ピン１０５の接点接触部１０５ａを嵌める。そして、その後、光軸方向カメラボディ側より、第２凹部１１７が接点接触部１０５ａの光軸方向カメラボディ側に嵌合するようにレンズ保護環１０６を配置する。このようにして、第１凹部１１４と第２凹部１１７とで形成された孔に接点接触部１０５ａをはめ込むことができるので、装着が容易である。
【００３０】
（変形形態）
実施形態は、適宜組み合わせて用いることもできるが、詳細な説明は省略する。
また、本実施形態の接点構造１００は、交換レンズ１に含まれる接点構造１００について説明した。しかし、これに限らず、カメラボディ２に含まれる接点構造であってもよい。
【符号の説明】
【００３１】
１：交換レンズ、２：カメラボディ、１０：レンズ側マウント部、２４：接点、１００：接点構造、１０１：レンズ側バヨネット爪、１０２：保持本体、１０３：ＦＰＣ、１０３ａ：凹部、１０４：保持部、１０５：接点ピン、１０５ａ：接点接触部、１０５ｂ：第２部分、１０５ｃ：折曲部、１０５ｄ：第１部分、１０５ｅ：ＦＰＣ接触部、１０６：レンズ保護環、１１０：円筒部、１１１：開口円板部、１１３：延在部、１１４：第１凹部、１１６：側面、１１７：第２凹部、１２０：開口部、２００：部組構造、２０１：接点位置決め板、２０２：部組本体、２０２ａ：前板部、２０２ｂ：上板部
【図１】
2017120308.tif 000003
【図２】
2017120308.tif 000004
【図３】
2017120308.tif 000005
【図４】
2017120308.tif 000006
【図５】
2017120308.tif 000007
【図６】
2017120308.tif 000008
【図７】
2017120308.tif 000009